(57)【要約】【課題】フィット性が高く、見た目が良好なボクサーパンツ型紙おむつを提供する。【解決手段】本発明は、外装体１０と内装パッド２０を有し、着用したときにボクサーパンツ型紙おむつ１であって、前身頃１１と後身頃１２が重ね合わせ、幅方向、両サイドを溶着することでパンツ型となる構造であり、外装体１０は、延伸状態の弾性フィルム１０ｂの両面に溶着により不織布１０ａを貼合した伸縮性複合材料であり、外装体１０の両サイドを溶着する前の展開した状態で、パンツ型紙おむつの縦方向中央、内装パッド２０の両サイド横に形成された円形の穴１３を有し、円形の穴１３と、パンツ型紙おむつの縦方向中央を通る水平方向の線Ｔと内装パッド２０側とは逆側で円形の穴１３の周と重なる点Ｓから、水平方向の線Ｔから前身頃１１側および後身頃１２側に対しそれぞれ同じ角度（θ）で伸びる足回り用のカットラインＫを有し、角度（θ）は、５度以上３５度以下であることを特徴とする。【選択図】図１
2020156989.tif 000002
【特許請求の範囲】
【請求項１】
外装体と内装パッドを有し、着用したときにボクサーパンツ型紙おむつであって、
前身頃と後身頃が重ね合わせ、幅方向、両サイドを溶着することでパンツ型となる構造であり、
前記外装体は、延伸状態の弾性フィルムの両面に溶着により不織布を貼合した伸縮性複合材料であり、
前記外装体の両サイドを溶着する前の展開した状態で、前記パンツ型紙おむつの縦方向中央、前記内装パッドの両サイド横に形成された円形の穴を有し、前記円形の穴と、パンツ型紙おむつの縦方向中央を通る水平方向の線と前記内装パッド側とは逆側で円形の穴の周と重なる点から、水平方向の線から前記前身頃側および前記後身頃側に対しそれぞれ同じ角度（θ）で伸びる足回り用のカットラインを有し、
前記角度（θ）は、５度以上３５度以下であることを特徴とするパンツ型紙おむつ。
【請求項２】
前記内装パッドは、開繊時に高吸収性ポリマー粒子を担持したアセテートトウを用いる吸収体と、前記アセテートトウ吸収体を包むキャリアシートとを有し、
前記開繊する工程で前記高吸収性ポリマー粒子を担持したアセテートトウ吸収体が、縦方向の両端のみ前記キャリアシートに接着剤で固定されており、
前記接着剤で固定される接着領域は、サイドシールの下端よりそれぞれ上側にあることを特徴とする請求項１に記載のパンツ型紙おむつ。
【請求項３】
前記内装パットは、液透過性のトップシートを有し、
前記キャリアシートと前記液透過性のトップシート側の接着は、前記アセテートトウ吸収体と前記キャリアシートを固定している接着領域と同じ領域内で接着されていることを特徴とする請求項２に記載のパンツ型紙おむつ。
【請求項４】
前記内装パッドは、前記アセテートトウ吸収体と前記キャリアシートを固定している接着領域と同じ領域内で、かつ前記内装パッド縦方向中央で接着されており、
前記中央の接着領域の幅は、前記内装パッドの幅の３分の１以内であることを特徴とする請求項２に記載のパンツ型紙おむつ。
【発明の詳細な説明】
【技術分野】
【０００１】
本発明は、パンツ型紙おむつに関する。
【背景技術】
【０００２】
脚周り被覆部を備えたボクサーパンツ型の紙おむつは、従来のパンツ型紙おむつよりも股間での密着性が高く、脚の動きに伴う吸収体と体の間の隙間ができにくく、漏れにくい特徴がある。
【０００３】
一般にパンツ型の紙おむつの製法は例えば特許文献１で例示されているように、パンツ型紙おむつの製品幅方向になる方向に流れる原料シートを加工し、連続して展開した形状にしたのち、最終的に折り畳み前身頃と後身頃の両側部をサイドシールし、両側部を切断、単離することでパンツ型紙おむつとなる。
この製法でボクサーパンツ型の紙おむつを製造する方法は従来から知られている。脚周り被覆部は筒状に形成しているのではなく、着用時に脚周り近くと股間部の外装体が変形することで、着用したときに形成される。
【０００４】
パンツ型紙おむつは製品幅方向になる方向に加工される。そのため伸縮部材も基本的には製品幅方向に延伸された状態で接合される。そのため紙おむつの伸縮は幅方向が基本である。伸縮部材として糸ゴムを使用した場合には斜めに配置することで斜め方向への伸縮性を付与することもあるが、糸ゴムを蛇行させながら配置させていくため、使用できる箇所や本数には制限がある。
ボクサーパンツ型の紙おむつは着用時の複雑な変形に対応し、フィット性を高める工夫が必要となる。特許文献２及び特許文献３に代表されるように通常のパンツ型紙おむつより多くの糸ゴムを使用し、複雑な配置に糸ゴムを設置する必要がある。
【０００５】
一方、伸縮部材として糸ゴムではなく弾性フィルムを利用する方法がある。糸ゴムとの違いの大きな点は、弾性フィルム自体は資材の流れ方向（ＭＤ方向）だけでなく、資材の流れ方向と直角の方向（ＣＤ方向）にも伸縮可能なことである。延伸状態の弾性フィルムと不織布を超音波溶着などで貼合した複合材（以下、伸縮不織布）に加工したもので外装体とするが、そのときの溶着によりＣＤ方向への動きは制限されるようになるものの、パターンの選択によっては斜めへの伸縮は大きく制限されないため、複雑な伸縮を必要とするボクサーパンツ型の紙おむつの外装体としては最適である。
【先行技術文献】
【特許文献】
【０００６】
【特許文献１】特開２０１０−  ３５５８２号公報
【特許文献２】特開２０１０−  ８２１３３号公報
【特許文献３】特開２０１８−  ８３０１９号公報
【発明の概要】
【発明が解決しようとする課題】
【０００７】
しかしながら、伸縮不織布を使用したボクサーパンツ型の紙おむつに使用された例は見られない。その理由としては伸縮特性が最適な伸縮不織布を外装体に用いても、股間部では内装パッドと接合され伸縮性が不活性になる部分の面積が大きく、せっかくの特性を活かすことができないためである。
【０００８】
そこで、本発明は、上記事情に鑑みてなされたものであり、フィット性が高く、見た目が良好なボクサーパンツ型紙おむつを提供することを目的とする。
【課題を解決するための手段】
【０００９】
上記課題を解決するために、（１）本発明のパンツ型紙おむつは、外装体と内装パッドを有し、着用したときにボクサーパンツ型紙おむつであって、前身頃と後身頃が重ね合わせ、幅方向、両サイドを溶着することでパンツ型となる構造であり、前記外装体は、延伸状態の弾性フィルムの両面に溶着により不織布を貼合した伸縮性複合材料であり、前記外装体の両サイドを溶着する前の展開した状態で、前記パンツ型紙おむつの縦方向中央、前記内装パッドの両サイド横に形成された円形の穴を有し、前記円形の穴と、パンツ型紙おむつの縦方向中央を通る水平方向の線と前記内装パッド側とは逆側で円形の穴の周と重なる点から、水平方向の線から前記前身頃側および前記後身頃側に対しそれぞれ同じ角度（θ）で伸びる足回り用のカットラインを有し、前記角度（θ）は、５度以上３５度以下であることを特徴とするものである。
【００１０】
（２）（１）の構成において、前記内装パッドは、開繊時に高吸収性ポリマー粒子を担持したアセテートトウを用いる吸収体と、前記アセテートトウ吸収体を包むキャリアシートとを有し、前記開繊する工程で前記高吸収性ポリマー粒子を担持したアセテートトウ吸収体が、縦方向の両端のみ前記キャリアシートに接着剤で固定されており、前記接着剤で固定される接着領域は、サイドシールの下端よりそれぞれ上側にあることを特徴とする。
【００１１】
（３）（２）の構成において、前記内装パットは、液透過性のトップシートを有し、前記キャリアシートと前記液透過性のトップシート側の接着は、前記アセテートトウ吸収体と前記キャリアシートを固定している接着領域と同じ領域内で接着されていることを特徴とする。
【００１２】
（４）（２）の構成において、前記内装パッドは、前記アセテートトウ吸収体と前記キャリアシートを固定している接着領域と同じ領域内で、かつ前記内装パッド縦方向中央で接着されており、前記中央の接着領域の幅は、前記内装パッドの幅の３分の１以内であることを特徴とする。
【発明の効果】
【００１３】
本発明によれば、フィット性が高く、見た目が良好なボクサーパンツ型紙おむつを提供することができる。
【図面の簡単な説明】
【００１４】
【図１】本発明の実施形態に係るパンツ型紙おむつの展開図である。
【図２】本発明の実施形態に係るパンツ型紙おむつの足回り用のカットラインの拡大図である。
【図３】図１のＸ−Ｘ’断面図である。
【図４】本発明の実施形態に係るパンツ型紙おむつの完成図である。
【図５】本発明の実施形態に係るパンツ型紙おむつの足回りの拡大図である。
【図６】本発明の実施形態に係るパンツ型紙おむつの着用状態を説明する図である。
【図７】本発明の実施形態に係るパンツ型紙おむつの足回り被覆部の説明図であって、（ａ）は外腿側の説明図、（ｂ）は内腿側の説明図である。
【図８】本発明の実施形態に係るパンツ型紙おむつの足回り被覆部及び内腿側の説明図であって、（ａ）は前方斜めから見た図、（ｂ）後方斜めから見た図である。
【図９】本発明の実施形態に係るパンツ型紙おむつの外装体で用いられる伸縮性複合材料の溶着パターンについての説明図である。
【図１０】本発明の実施形態に係るパンツ型紙おむつの吸収体でも用いるアセテートトウ吸収体について説明する図である。
【発明を実施するための形態】
【００１５】
以下、添付図面を参照して、本発明の実施形態について詳細に説明するが、これらは例示の目的で掲げたものであり、これらにより本発明を限定するものではない。なお、実施形態の説明の全体を通して同じ要素には同じ符号を付する。
説明文および図1、図２、図４および図５では伸縮性複合材料が収縮状態のときの形状で説明する。尚、製造工程で伸縮性複合材料が延伸状態で足回りのカットする場合には、本発明で開示したカットラインを延伸倍率に合わせて形状を調整する必要がある。
【００１６】
図１は、本発明の実施形態に係るパンツ型紙おむつの展開図である。
図１に示すように、本発明の実施形態に係るパンツ型紙おむつ１は、外装体１０と内装パッド２０からなる着用したときにボクサータイプの形状になるものである。
【００１７】
外装体１０は、延伸状態の弾性フィルムの両面に超音波溶着により不織布を貼合した伸縮性複合材料である。
内装パッド２０は、開繊時に高吸収性ポリマー粒子を担持したアセテートトウを吸収体として用いている。
パンツ型紙おむつ１は、前身頃１１と後身頃２が重ね合わせ、幅方向、両サイドを溶着することでパンツ型となる構造である。
【００１８】
図２は、本発明の実施形態に係るパンツ型紙おむつの足回り用のカットラインの拡大図である。
図１及び図２に示すように、外装体１０の両サイドを溶着する前の展開した状態で、パンツ型紙おむつ１の縦方向中央、内装パッド２０の両サイド横に円形の穴１３と、パンツ型紙おむつ１の縦方向中央を通る水平方向の線Ｔと内装パッド２０側とは逆側で円形の穴１３の周と重なる点Ｓから、水平方向の線Ｔから前身頃１１側および後ろ身頃１２側に対しそれぞれ同じ角度（θ）で伸びる直線状の足回り用のカットラインＫがある。
角度（θ）は５度以上３５度以下であることが好ましい。
円形の穴１３は、円形は真円だけでなく楕円の円も含む。
【００１９】
図３は、図１のＸ−Ｘ’断面図である。図３に示すように、内装パッド２０は、液透過性のトップシート２１と、液不透過性のバックシート２２と、アセテートトウ吸収体２３と、キャリアシート２４と、立体ギャザー２５とを有する。
開繊する工程でＳＡＰを担持したアセテートトウ吸収体２３が、縦方向の両端のみキャリアシート２４に接着剤で固定されており、接着層を参照符号２６で示している。
この接着層２６の接着領域２６ａは、図１のサイドシール１８の下端Ｆより上にあることが好ましい。
キャリアシート２４と液透過性のトップシート２１側の接着は、アセテートトウ吸収体２３とキャリアシート２４を固定している接着領域と同じ領域内で接着されている。この接着層を参照符号２７’で示している。
【００２０】
内装パッド２０は、アセテートトウ吸収体２３とキャリアシート２４を固定している接着領域２６と同じ領域内の接着領域２８および内装パッド縦方向中央にある接着領域２９で接着されている。中央の接着領域の幅は内装パッド２０の幅の３分の１以内である。内装パッド２０と外装体１０の接着層を参照符号２８で示す。キャリアシート２４とバックシート２２の接着層を参照符号２７で示す。
外装体１０は、延伸状態の弾性フィルム１０ｂの両面に溶着により不織布１０ａを貼合した伸縮性複合材料である。
【００２１】
図４は、本発明の実施形態に係るパンツ型紙おむつの完成図である。図５は、本発明の実施形態に係るパンツ型紙おむつの足回りの拡大図である。図６は、本発明の実施形態に係るパンツ型紙おむつの着用状態を説明する図である。図４〜図６を用いて、本実施形態に係るパンツ型紙おむつについて説明する。
本発明のパンツ型紙おむつ１は、着用前はボクサーパンツ型の特徴である筒状の足周り被覆部は形成されていない。
【００２２】
着用したときパンツ型紙おむつ１の縦方向股間部、図６のＡ−Ａ‘の部分が、着用者の股間の形にそってＡ−Ａ’の中央付近を中心にＡとＡ‘が外に向かうように折れ曲がる。
図６に示したように、折れ曲がった先のＡ点とＡ’点から脚の付け根までが太もも内側の脚周り被覆部となり、Ｂ点からＣ点にむかい直線にちかいラインでカットした場合には、脚の内側にあるＡ点から脚を包み込むように外装体が周り込むため足回り被覆部１５が形成される。もし脚周りのカットラインＫが、いったんＢ点から大きい傾きをもって上部に向かってスタートし、その後よこに向かったゆるやかな傾きにかわるようなラインの場合、脚周り被覆部は形成されない。そのため、脚周り被腹部１５をデザインするときに、カットラインＫの最初の傾斜が重要である。
【００２３】
本実施形態のパンツ型紙おむつ１ではθを５度から３５度にすることがのぞましい。３５度より大きくなるとボクサーパンツ型らしさがなくなる。一方で、θが大きくなるほど自然長状態での脚部開口部が大きくなり、履きやすくなる。そのためθは５度以上が望ましい。
より最適な角度は１０度以上２５度以下である。
【００２４】
本実施形態では、Ｂ点から始まる直線状のカットラインＫは、そのまま真っすぐサイドシール領域のＤ点まで到達する形状でも問題ないが、その手前Ｃ点から上方へ弧を描くラインにすることで、着用時にサイドシール１８の下にスリット部１６が形成されるため好ましい。このスリット部１６があることで、脚周り被覆部による締め付けすぎにより足の動きが抑制されることを防ぐことができる。
【００２５】
Ｃ点とＤ点の幅方向の距離は２０ｍｍ以下、好ましくは１０ｍｍ以下が望ましい。２０ｍｍより大きくなるとスリット部１６の幅が広がりすぎで脚周り被覆部１５のフィット性が損なわれるだけでなく、見た目も悪くなる。Ｃ点とＤ点の縦方向の距離は１５ｍｍ以下、好ましくは１０ｍｍ以下が望ましい。１５ｍｍより大きくなるとスリット部１６の長さが長すぎで脚周り被覆部１５のフィット性が損なわれる。
また、本実施形態の説明の図ではＢ点からＣ点までを直線でしめしたが、より身体の線にあうように曲線が含まれても問題ない。その場合でも角度θの設定はＢ点からＣ点までに仮想線を引いて設定する。
【００２６】
図６に示したように、脚周り被覆部１５を構成するとき、脚周りに近い部分ほど、外装体１０は幅方向だけでなく上下方向にも延伸される複雑な変形を伴う。そのため本実施形態では、外装体１０は、図３に示すように、弾性フィルム１０ｂと不織布１０ａを貼合した伸縮性複合材料を使用することが最適である。
【００２７】
図７は、本発明の実施形態に係るパンツ型紙おむつの足回り被覆部の説明図であって、（ａ）は外腿側の説明図、（ｂ）は内腿側の説明図である。図８は、本発明の実施形態に係るパンツ型紙おむつの足回り被覆部及び内腿側の説明図であって、（ａ）は前方斜めから見た図、（ｂ）後方斜めから見た図である。
本実施形態では、図４〜図６で説明したように、脚部のカットラインＫの付け根に円形の穴１３を設けることが特徴である。円形の穴１３がなく、Ａ点を起点として直線状のカットラインＫを設けた場合、図７（ａ）のようにＡ点を起点に開口部が三角に開く。このときＡ点は両側に引っ張る力が働いている。
【００２８】
伸縮性複合材料は後述するように、多数の溶着点で弾性フィルム１０ｂと不織布１０ａが貼合されている。溶着点では不織布１０ａは溶解し、弾性フィルム１０ｂは溶解または破断により孔が開いている。溶着点がミシン目の様な役割をはたすため、破断しやすくなる。そのためＡ点から直接は直線状のカットラインを設けた場合にはＡ点をきっかけに裂けることがあった。本発明の実施形態のように、まず円形の穴１３を設けた場合には図８のように広がり、力が分散し裂けることがなくなった。
またＡ点から直接は直線状のカットラインを設けた場合には端部がＡ点からＣ点に向かって曲線を描くようなラインになるが、本発明では着用時に円形の穴１３の部分が半円状に開いたのち、そこから水平な線となるためよりボクサータイプらしい形状になる。
【００２９】
円径の孔１３の直径は、最終製品が男性用か女性用か、およびサイズによって決めることになるが、２０ｍｍ以上４０ｍｍ以下が適切である。２０ｍｍ未満であると径が小さすぎるため目的とする効果が得られにくい、４０ｍｍより大きくなると着用時に円によってできる内股側の開口部が大きくなりすぎる。内装パッド２０の端部から円までの距離Ｇ（図１）は５ｍｍ以上２０ｍｍ以内が適切である。距離Ｇが５ｍｍよりせまいと製造時のコントロールが困難である。距離Ｇが２５ｍｍより広いと脚周り被覆部１５の内また側が長くなりすぎる。
【００３０】
（伸縮性複合材料）
外装体１０の伸縮性複合材料は、図３に示すように、延伸状態の弾性フィルム１０ｂの表裏に不織布１０ａを貼合（ラミネート）する。弾性フィルム１０ｂの表裏に不織布１０ａを貼合する方法は超音波溶着がのぞましい。貼合するときの弾性フィルム１０ｂの延伸率は２．５倍から４倍がのぞましく、よりのぞましいのは３から３．５倍である。ラミネート時に延伸された弾性フィルム１０ｂは永久ひずみが残るため自然長になっても元の長さにならない。
【００３１】
また不織布１０ａに溶着点で固定されるため、ラミネート時に伸ばした以上には延伸できない。そのため加工された伸縮性複合材料の延伸能力はラミネート時の延伸率より低下する。そのためラミ時に２．５倍未満で延伸した場合には伸縮性複合材料は２倍程度の能力しかなく、外装体として使用するには低い。
【００３２】
一方、ラミネート時の延伸率が高いほど、弾性フィルムのネックインが大きくなる。ネックイン状態で不織布１０ａに溶着点で固定された弾性フィルム１０ｂは自然長状態になっても元の幅にもどり難く、上下の不織布の間で皺となることがあり、伸縮性複合材の仕上がりがフラットでなくうねりをともなってしまう。
【００３３】
そのためラミネート時の弾性フィルムの延伸率は４倍以下であることがのぞましい。
弾性フィルム１０ｂと不織布１０ａの溶着は熱または超音波による方法などで行うことができるが、仕上がりの肌触りが柔らかくなることから超音波溶着が適している。超音波溶着によるラミネートはホーンからの振動と溶着パターンと同じ形状で設けられた凸部をもつアンビルロールの間に延伸した弾性フィルム１０ｂと不織布１０ａを通すことで行われる。そのため伸縮性複合材料の性能は処理時の弾性フィルム１０ｂの延伸率と溶着パターンで決まる。
【００３４】
図９は、本発明の実施形態に係るパンツ型紙おむつの外装体で用いられる伸縮性複合材料の溶着パターンについての説明図である。本発明では溶着パターンに特に制限はないが、図９に示すように、千鳥パターンがラミネート後の伸縮性の低下が少なく、なおかつ少ない溶着点で伸縮性複合材の厚みが薄くなることから望ましい。
またアンビルロール軸方向に対し角度θ’の傾斜を持たせることにより、装置の耐久性を高めることができるため望ましい。傾斜をもたない場合、ホーンはアンビルロールの凸部と接触しているときとしていないときを繰り返すため、衝撃が大きい。一方、傾斜をもたせた場合、ホーンは常にアンビルロールの凸部と接触しているため、ホーンへの衝撃による負荷が軽減される。
【００３５】
ラミネート処理方向の溶着点間距離Ｄは伸縮性複合材の厚みに影響する。タオルのような、よりソフトで温かみのある風合いにしたいときには、溶着点間距離Ｄを大きくし、伸縮性複合材に形成される不織布の波の高さを高くすればよい。その場合、溶着点間距離Ｄは２ｍｍ以上４ｍｍ以下が適している。逆によりフラットで木綿のような風合いにしたい場合には、溶着点間距離Ｄを１．５ｍｍ以下０．８ｍｍ以上にするのが好ましい。
溶着点の幅方向の間隔は、溶着点間距離Ｄを設定したあとに、適宜決めることができる。溶着点の幅方向の間隔が狭すぎると、溶着点の面積率が高くなり、超音波溶着時の処理条件が高いエネルギーを必要とするため好ましくない。溶着点の幅方向の間隔が広すぎると超音波溶着時に発生した弾性フィルム１０ｂのネックインからの戻りにより縦ジワが発生する可能性がある。
以上のことから溶着点間距離Ｄは、０．８ｍｍから４ｍｍの中で加工条件と仕上がりのバランスがよいものを選択することができる。
【００３６】
図１０は、本発明の実施形態に係るパンツ型紙おむつの吸収体でも用いるアセテートトウ吸収体について説明する図であり、（ａ）はアセテートトウ吸収体の非変形時、（ｂ）アセテートトウ吸収体の変形時を示している。本発明の実施形態では吸収体２３として開繊時にＳＡＰを担持させたアセテートトウを用いるアセテートトウへのＳＡＰの固定にはトリアセチンなどの可塑剤を使用することができる。
【００３７】
ＳＡＰの担持体として広く用いられているフラッフパルプと比較しアセテートトウは、それ自体が尿を保持する能力は低いものの、逆に内部で尿の拡散が優れるという特徴がある。また長繊維であるため崩れることはなく、例えば両端を引っ張ても戻る弾力性もある。本発明の実施形態ではこのようなアセテートトウの長繊維である特徴を利用している。開繊しながらＳＡＰを担持したアセテートを長方形に成型したアセテートトウ吸収体２３を、キャリアシート２４で包む。
このとき図１０に示したようにアセテートトウの両端のみ接着剤で固定する。この接着剤による接着層を参照符号２６で示している。このようにして固定されたアセテートトウ吸収体３０は接着領域の間では自由に変形が可能である。
【００３８】
おむつに加工後、股間で挟まれたとき、吸収体２３全体でなく、股間にくる場所だけ図６のように折れまがるだけでなく、幅方向へ縮むことができるため、より柔軟にフィットする。また固定された両端でテンションがかかっているため、たとえ座ったときに足を開いたときに戻ろうとする力が発生するため、吸収体２３が着用者の身体の動きに合わせフィットすることができる。このような特徴を発生させるため、両端の接着領域２６ａ（図１）はサイドシール１８の下の端Ｆより上に設ける。
【００３９】
サイドシール１８の下端Ｆより下の領域は、足周り被覆部１５を形成するために複雑に動く領域であるため、ここに接着領域２６ａが重ならないようにすることが必要である。またキャリアシート２４とバックシート２２の接着層２７および内装パッド２０と外装体１０の接着層２８も、この接着領域２６ａ内で行わなければならない。内装パッド２０と外装体１０の接着はこの両端の領域だけだと、股間で外装体１０と内装パッド２０が別の動きをし、ずれる恐れがある。そのため外装体１０の縦方向中央で内装パッド２０を接着する必要があるが、このときの接着領域の幅は、外装体の幅の３分の１以内である。
ここで内装パッド２０の両端を固定しないのは、前述のようにこの領域で外装体１０は複雑な変形が必要であるため、内装パッド１０を全巾で固定すると動きが抑制されるためである。そのため接着領域２９での内装パッド２０の固定は最小限の面積である必要がある。一方で、十分に固定されている必要があるため、接着領域２９の幅の下限は２０ｍｍが好ましい。
【００４０】
本実施形態によれば、外装体１０に伸縮不織布を使用し、吸収体２３にアセテートトウを使用することでフィット性が高く、見た目もより下着らしくなる。
【００４１】
以上、実施形態を用いて本発明を説明したが、本発明の技術的範囲は上記実施形態や実施例に記載の範囲には限定されないことは言うまでもない。上記実施形態に、多様な変更又は改良を加えることが可能であることが当業者に明らかである。また、そのような変更又は改良を加えた形態も本発明の技術的範囲に含まれ得ることが、特許請求の範囲の記載から明らかである。
【符号の説明】
【００４２】
１  パンツ型紙おむつ
１０  外装体
１０ａ  不織布
１０ｂ  弾性フィルム
１３  円形の穴
Ｋ  カットライン
２０  内装パッド
２１  トップシート
２２  バックシート
２３  吸収体
２４  キャリアシート
【図１】
2020156989.tif 000003
【図２】
2020156989.tif 000004
【図３】
2020156989.tif 000005
【図４】
2020156989.tif 000006
【図５】
2020156989.tif 000007
【図６】
2020156989.tif 000008
【図７】
2020156989.tif 000009
【図８】
2020156989.tif 000010
【図９】
2020156989.tif 000011
【図１０】
2020156989.tif 000012